(57)【要約】【課題】余分な注意を払わずに遊技盤が遊技盤収納凹部にスムーズに収納でき、しかも、遊技盤の固定の解除及び取り外しが極めて簡単に行なえる遊技盤固定装置を提供する。【解決手段】遊技盤取付面１０５ａに固着される基枠２と、基枠の固定軸３に軸着され、遊技盤取付面に対して直交する面に沿って自在に回動しかつ遊技盤１０４の側縁部が嵌まり込む受枠部材４と、これを遊技盤取付面から離れるように回動付勢する第一弾発手段２６と、受枠部材の外側に重なり、固定軸が挿通されるスライド軸孔２３が開設され、固定軸と平行をなしかつ受枠部材に開設された長孔１７に挿通される軸ピン２５を設けた操作部材５と、受枠部材と操作部材とが離れるように付勢する第二弾発手段２０とを備え、スライド軸孔は固定軸が嵌る円孔部２３ａとこれに連通し円孔部２３ａの内径よりも狭い溝幅の長溝部２３ｂとからなり、固定軸の外周面には長溝部が嵌る凹溝１１が設けられる。【選択図】図１０
2013013507.tif 000002
【特許請求の範囲】
【請求項１】
遊技盤収納凹部における遊技盤取付面の周縁部に固着され該遊技盤収納凹部に収納される遊技盤を固定するための遊技盤固定装置であって、
前記遊技盤取付面に固着される基枠と、
前記基枠に設けられた固定軸に軸着され、前記遊技盤取付面に対して直交する面に沿って自在に回動しかつ前記遊技盤の周縁部が嵌まり込むように側面略コ字型に形成される受枠部材と、
前記受枠部材を常に遊技盤取付面から離れるように回動付勢する第一弾発手段と、
前記受枠部材に重なるようにして配置され、前記固定軸が挿通されるスライド軸孔が開設されると共に、前記固定軸と平行をなしかつ前記受枠部材に開設された長孔に挿通される軸ピンを設けた操作部材と、
前記受枠部材と操作部材との間に介在され該操作部材を常に該受枠部材から離れるように付勢する第二弾発手段とを備え、
前記スライド軸孔は前記固定軸の円形周面が嵌る円孔部と該円孔部と連通すると共に該円孔部の内径よりも狭い溝幅の長溝部とからなり、前記固定軸の外周面にはその中心軸線に対して直交する面内で該中心軸線から下した線が直交して前記長溝部が嵌る凹溝が設けられ、
遊技盤収納凹部に遊技盤を押し込んで嵌めることにより、遊技盤の周縁部が前記受枠部材に嵌まり込んで該受枠部材が回動し、前記操作部材が受枠部材から離れるように可動すると共に前記固定軸が前記円孔部から前記長溝部へ移動し、前記受枠部材の不必要な回動動作を規制して遊技盤が固定され、
前記操作部材を前記受枠部材側へ押すことにより、前記固定軸が前記長溝部から前記円孔部へ移動して前記受枠部材が回動可能となり、遊技盤収納凹部から遊技盤を取り外すことができるようにしたことを特徴とする遊技盤固定装置。
【請求項２】
前記遊技盤収納凹部に収納された遊技盤の周縁部を前記受枠部材内に介在させた状態で、前記遊技盤の周縁部を受枠部材内の一方へ付勢して該受枠部材との間で該周縁部を挟着固定する弾発部材を備えた請求項１記載の遊技盤固定装置。
【発明の詳細な説明】
【技術分野】
【０００１】
本発明は、遊技機本体の遊技盤収納凹部に遊技盤を着脱自在に装着するために使用される遊技盤固定装置に関するものである。
【背景技術】
【０００２】
従来、例えば遊技機の一種であるパチンコ遊技機にあって、遊技盤を遊技機本体の前側から着脱自在に取着するようにしたものがある。このパチンコ遊技機では、遊技機本体の前面に遊技盤収納凹部が形成され、遊技盤をパチンコ遊技機の前側からその裏面を遊技盤収納凹部に対向させて配置した状態で該遊技盤収納凹部に押し込むようにして装着している。また、遊技盤収納凹部に収納された遊技盤を固定するため、遊技盤収納凹部の周縁部に遊技盤固定装置が固着されている。
【０００３】
前記遊技盤固定装置は、遊技機本体における遊技盤収納凹部の背面側に支持部を設けると共に該支持部から前方へ回転軸を突設し、該回転軸の前端に鉛直面内で回動する締結レバーを取着した構成からなる。一方、遊技盤の周縁部に、前記遊技盤固定装置に対応位置させて該遊技盤固定装置が通過し得る切欠部を形成してなる。そこで、予め前記遊技盤固定装置における締結レバーを鉛直方向に沿って配置した状態で、遊技盤を遊技盤収納凹部に収納すると共に切欠部内に遊技盤固定装置が収まるようにする。この際、前記締結レバーは遊技盤の前面より前側に位置し、しかも、その後端面は遊技盤の前面とほぼ一致するようになっている。そして、遊技盤を遊技盤収納凹部に収納させた状態で、前記締結レバーを鉛直面内で回動させその後端面を遊技盤の前面に押圧する。これにより、遊技盤が固定されることになる（例えば、特許文献１参照。）。
【先行技術文献】
【特許文献】
【０００４】
【特許文献１】特開２０１０-１４８９９２号公報（第４−９頁、段落００１７、段落００２７、図５乃至図６）
【発明の概要】
【発明が解決しようとする課題】
【０００５】
しかしながら、遊技盤を遊技盤収納凹部に収納する際に、遊技盤固定装置が切欠部と一致して通過できるか否かを見なければならない。また、遊技盤固定装置の締結レバーをうっかり水平方向に沿って配置したままにしてしまうと、遊技盤を遊技盤収納凹部に収納する際に遊技盤の裏面に締結レバーが当たってしまう。このため、遊技盤を遊技盤収納凹部に収納するに余分な注意を払わねばならず、その作業がスムーズに行ない難いといった課題が有る。
【０００６】
また、前記特許文献１のパチンコ遊技機にあっては、遊技盤収納凹部に遊技盤を収納した状態で遊技盤ががたつかないように、該遊技盤の前面を後方へ強く押し付けるようにして締結レバーを回動させ該遊技盤を固定するようにしているので、逆にその反発力が締結レバーに直接加わることになる。このように、締結レバーに直接強い反発力が加わると、例えば遊技盤を固定する際または遊技盤の固定を解く際に締結レバーが硬くなって指先で回動し難いといった課題も有る。
【０００７】
そこで、本発明は上記課題を解決すべくなされたもので、余分な注意を払わずに遊技盤収納凹部に遊技盤をスムーズに収納して固定でき、しかも、遊技盤の固定の解除及び取り外しが極めて簡単に行なえる遊技盤固定装置を提供することを目的とするものである。
【課題を解決するための手段】
【０００８】
かかる目的を達成するため本発明の遊技盤固定装置は、遊技盤収納凹部における遊技盤取付面の周縁部に固着され該遊技盤収納凹部に収納される遊技盤を固定するための遊技盤固定装置であって、前記遊技盤取付面に固着される基枠と、前記基枠に設けられた固定軸に軸着され、前記遊技盤取付面に対して直交する面に沿って自在に回動しかつ前記遊技盤の周縁部が嵌まり込むように側面略コ字型に形成される受枠部材と、前記受枠部材を常に遊技盤取付面から離れるように回動付勢する第一弾発手段と、前記受枠部材に重なるようにして配置され、前記固定軸が挿通されるスライド軸孔が開設されると共に、前記固定軸と平行をなしかつ前記受枠部材に開設された長孔に挿通される軸ピンを設けた操作部材と、前記受枠部材と操作部材との間に介在され該操作部材を常に該受枠部材から離れるように付勢する第二弾発手段とを備え、前記スライド軸孔は前記固定軸の円形周面が嵌る円孔部と該円孔部と連通すると共に該円孔部の内径よりも狭い溝幅の長溝部とからなり、前記固定軸の外周面にはその中心軸線に対して直交する面内で該中心軸線から下した線が直交して前記長溝部が嵌る凹溝が設けられ、遊技盤収納凹部に遊技盤を押し込んで嵌めることにより、遊技盤の周縁部が前記受枠部材に嵌まり込んで該受枠部材が回動し、前記操作部材が受枠部材から離れるように可動すると共に前記固定軸が前記円孔部から前記長溝部へ移動し、前記受枠部材の不必要な回動動作を規制して遊技盤が固定され、前記操作部材を前記受枠部材側へ押すことにより、前記固定軸が前記長溝部から前記円孔部へ移動して前記受枠部材が回動可能となり、遊技盤収納凹部から遊技盤を取り外すことができるようにしたことを特徴とする。
【０００９】
また、この際、前記遊技盤収納凹部に収納された遊技盤の周縁部を前記受枠部材内に介在させた状態で、前記遊技盤の周縁部を受枠部材内の一方へ付勢して該受枠部材との間で該周縁部を挟着固定する弾発部材を備えることが好ましい。
【発明の効果】
【００１０】
本発明に係る遊技盤固定装置は、遊技盤収納凹部における遊技盤取付面の周縁部に固着され該遊技盤収納凹部に収納される遊技盤を固定するための遊技盤固定装置であって、前記遊技盤取付面に固着される基枠と、前記基枠に設けられた固定軸に軸着され、前記遊技盤取付面に対して直交する面に沿って自在に回動しかつ前記遊技盤の周縁部が嵌まり込むように側面略コ字型に形成される受枠部材と、前記受枠部材を常に遊技盤取付面から離れるように回動付勢する第一弾発手段と、前記受枠部材に重なるようにして配置され、前記固定軸が挿通されるスライド軸孔が開設されると共に、前記固定軸と平行をなしかつ前記受枠部材に開設された長孔に挿通される軸ピンを設けた操作部材と、前記受枠部材と操作部材との間に介在され該操作部材を常に該受枠部材から離れるように付勢する第二弾発手段とを備え、前記スライド軸孔は前記固定軸の円形周面が嵌る円孔部と該円孔部と連通すると共に該円孔部の内径よりも狭い溝幅の長溝部とからなり、前記固定軸の外周面にはその中心軸線に対して直交する面内で該中心軸線から下した線が直交して前記長溝部が嵌る凹溝が設けられて構成される。そして、遊技盤収納凹部に遊技盤を押し込んで嵌めることにより、遊技盤の周縁部が受枠部材に嵌まり込んで該受枠部材が回動し、操作部材が受枠部材から離れるように可動すると共に固定軸が円孔部から長溝部へ移動し、受枠部材の不必要な回動動作を規制して遊技盤が固定され、操作部材を受枠部材側へ押すことにより、固定軸が長溝部から円孔部へ移動して受枠部材が回動可能となり、遊技盤収納凹部から遊技盤を取り外すことができるようにした。これにより、遊技盤収納凹部への遊技盤の収納が、その側縁部を受枠部材に受け止めさせるようにして押し込むのみで済み、遊技盤の収納が余分な注意を払わずにスムーズに行なえる。また、操作部材を指先で押すのみで受枠部材がその付勢により回動し遊技盤を外側へ押出す。よって、遊技盤の固定の解除及び取り外しが、極めて簡単に行なえるという効果を有する。
【００１１】
また、前記遊技盤収納凹部に収納された遊技盤の周縁部を受枠部材内に介在させた状態で、遊技盤の周縁部を受枠部材内の一方へ付勢して該受枠部材との間で該周縁部を挟着固定する弾発部材を備えるようにすれば、遊技盤収納凹部に遊技盤を収納したとき、弾発部材が遊技盤の裏面に当接してその裏面を前側へ押圧するので、該遊技盤が受枠部材との間で挟着されると共に遊技盤が緩むことなくしっかりと固定され、そのがたつきを押さえることができる。
【図面の簡単な説明】
【００１２】
【図１】本発明に係る遊技盤固定装置の斜視図。
【図２】同分解斜視図。
【図３】弾発部材の斜視図。
【図４】（イ）は遊技盤固定装置の側面図、（ロ）は同作用を示す側面図。
【図５】（イ）は図４（イ）のＸ−Ｘ線断面図、（ロ）は図４（ロ）のＹ−Ｙ線断面図。
【図６】本発明に係る遊技盤固定装置が適用されるパチンコ遊技機の正面図。
【図７】透明板保持枠を開け遊技盤を外した状態の同パチンコ遊技機の正面図。
【図８】同パチンコ遊技機における遊技盤固定装置部位の拡大斜視図。
【図９】（イ）（ロ）は遊技盤の一側縁部を押込むときの遊技盤収納凹部の平面図。
【図１０】（イ）（ロ）は遊技盤の他側縁部を押込むときの遊技盤収納凹部の側面断面図。
【図１１】遊技盤収納凹部に遊技盤を収納した状態のパチンコ遊技機の正面図。
【発明を実施するための形態】
【００１３】
以下、本発明に係る遊技盤固定装置の最良の実施の形態を、図面に基づき詳しく説明する。本発明に係る遊技盤固定装置が適用される遊技機には、例えばパチンコ遊技機、アレパチ遊技機、雀球遊技機などの遊技機に使用できるが、このうち、本発明にあってはパチンコ遊技機に適用される場合について説明する。また、一般に遊技機にあっては、遊技盤収納凹部を遊技機本体の前面に形成し遊技盤を該遊技機本体の前側から収納するタイプと、逆に遊技盤収納凹部を遊技機本体の後面に形成し遊技盤を該遊技機本体の後側から収納するタイプと、があるが、本発明に係る遊技盤固定装置はいずれの遊技機についても適用でき、そのうち遊技盤収納凹部が遊技機本体の前面に形成されている場合について説明する。
【００１４】
本発明に係る遊技盤固定装置について説明する前に、先に本発明が適用されるパチンコ遊技機について説明しておく。図６は本発明に係る遊技盤固定装置が適用されるパチンコ遊技機の正面図、図７は透明板保持枠を開け遊技盤を外した状態の同パチンコ遊技機の正面図である。パチンコ遊技機Ｐは、遊技機本体１００と該遊技機本体１００の前面にその一側を軸着して開閉自在に装着される透明板保持枠１０１とから構成される。
【００１５】
前記遊技機本体１００は、長方形状の機枠１０２の前面にその一側を軸着して本体枠１０３が開閉自在に装着される。本体枠１０３の前面上部に、後方へ窪んで遊技盤１０４をその前側から装着または取り外すことができる方形状の遊技盤収納凹部１０５が形成されている。また、本体枠１０３の前面下部に、その一側に寄せて打球発射レール１０６及び該打球発射レール１０６に供給される遊技球を前記遊技盤１０４の遊技部１０４ａに打ち込むための打球発射装置１０７が配置される。更に、その他側には、零れ球やファール球を受け入れ後記する下球皿１０９に排出する遊技球集合通路樋１０８が配置される。本体枠１０３の前面下部に、下球皿１０９が装着されると共にその一側に前記打球発射レール１０６から発射される遊技球の打球力を調整するための打球力調整ハンドル１１０が装着される。
【００１６】
遊技盤１０４の前面に盤面部品である内側ガイドレール１１１ａと外側ガイドレール１１１ｂが略渦巻き状に敷設され、該内側・外側ガイドレール１１１ａ，１１１ｂに囲まれるようにして遊技部１０４ａが形成される。この遊技部１０４ａには、その中央部に盤面部品として図柄を変動表示する可変表示装置１１２が配設され、その下方に遊技球の入賞により該可変表示装置１１２を作動する始動入賞口１１３が配設される。また、その下方に前記図柄が特定の図柄（例えば、「７７７」）に揃って「大当り」という遊技者に有利な特別遊技状態となったとき、一定の条件の下で開成し一度に多くの入賞球を発生させる大型の入賞装置１１４が配設されている。遊技部１０４ａの中央最下部に、アウト球を遊技盤１０４の後側へ排出するためのアウト球排出口１１５が開設される。なお、図中１１６は通常入賞口、１１７は遊技球の流下方向を変更させ遊技の面白みを高める風車である。
【００１７】
前記透明板保持枠１０１は、遊技盤１０４の前面を覆うようにして前記本体枠１０３の前面上部に装着される。透明板保持枠１０１は前面に遊技盤１０４の遊技部１０４ａを覗く窓開口１１８が開設され、その後側に該窓開口１１８を塞ぐようにして一対の透明板を平行に配設してなる透明板ユニット１１９が装着されている。また、透明板保持枠１０１の前面下部に、賞球としての遊技球を貯留し前記打球発射レール１０６に供給するための上球皿１２０が装着される。そして、上球皿１２０から打球発射レール１０６に供給された遊技球はその発射位置に停止し、その状態で打球力調整ハンドル１１０を所望の位置まで回動することにより、打球発射装置１０７が作動して打球発射レール１０６の上面に停止する遊技球を打球する。これにより、該遊技球は内側・外側ガイドレール１１１ａ，１１１ｂ間を飛走して遊技盤１０４前面の遊技部１０４ａに打ち込まれる。このうち始動入賞口１１３や通常入賞口１１６に入賞しなかった遊技球は、最終的にアウト球排出口１１５に入ることになる。
【００１８】
前記本体枠１０３の前面に形成された遊技盤収納凹部１０５は前後方向の深さが遊技盤１０４が嵌り込む程度の寸法を有し、底壁すなわち遊技盤取付面１０５ａの中央部は開放している。そして、遊技盤収納凹部１０５を前側から見て左側縁部の上下部に、それぞれ遊技盤１０４の周縁部の一側を挟んで固定する挟着部材１２１，１２１が取着されている。各挟着部材１２１は、例えば弾性を有する金属帯板から成形され、図９に示されるように遊技盤収納凹部１０５を前側から見て右側が解放する平面略コ字状に形成されている。
【００１９】
各挟着部材１２１を更に詳しく説明すると、該挟着部材１２１は、遊技盤収納凹部１０５の一側縁面（遊技盤１０４の側縁面が当接する面）に対向位置して当接する中板部１２１ａと、該中板部１２１ａの前端縁から内側へほぼ直角に折れ曲がる前支持板部１２１ｂと、該中板部１２１ａの後端縁から内側へほぼ直角に折れ曲がる後支持板部１２１ｃと、からなる。前支持板部１２１ｂの水平方向の長さを後支持板部１２１ｃの長さよりも短く設定して、遊技盤１０４が差し込み易いようにしている。また、前支持板部１２１ｂの先端部は前側へ少し屈曲している。一方、後支持板部１２１ｃは、水平方向に沿ったその中間位置に段差部１２２が設けられ、該段差部１２２よりも先端側１２３ａが基端側１２３ｂよりも前側に位置している。このとき、前支持板部１２１ｂと後支持板部１２１ｃの先端側１２３ａとの間の寸法が、遊技盤１０４の厚み寸法よりも僅かに狭まっている。
【００２０】
そして、図７に示すように前記遊技盤収納凹部１０５の正面視にて上下縁部の右側に、それぞれ遊技盤１０４の右側の上縁部と下縁部とをそれぞれ挟んで固定する遊技盤固定装置１，１が取着される。すなわち、各遊技盤固定装置１は、遊技盤収納凹部１０５の底面である遊技盤取付面１０５ａに固着される。各遊技盤固定装置１，１の取付位置は、この実施例に限るものではなく、例えば遊技盤取付面１０５ａの正面視にて右縁部の上下部にそれぞれ固着するようにしても良い。これにより、遊技盤１０４の右縁部の上下部をそれぞれ遊技盤固定装置１により挟んで固定する。
【００２１】
次に、二個の遊技盤固定装置１，１について説明する。これらはいずれも同じ形状からなり、上下対称に設けられるので、便宜上一方（下側）の遊技盤固定装置１について説明する。図１は本発明に係る遊技盤固定装置の斜視図、図２は同分解斜視図、図３は弾発部材の斜視図、図４（イ）は遊技盤固定装置の側面図、（ロ）は同作用を示す側面図、図５（イ）は図４（イ）のＸ−Ｘ線断面図、（ロ）は図４（ロ）のＹ−Ｙ線断面図である。遊技盤固定装置１は、前記遊技機本体Ｐ１における遊技盤収納凹部１０５の遊技盤取付面１０５ａの下縁部に固着される基枠２と、固定軸３により該基枠２に軸着され遊技盤取付面１０５ａに対して直交する面内で回動し、遊技盤１０４の下縁部を受け入れる側面コ字型の受枠部材４と、該受枠部材４の外側に重なるようにして配置される操作部材５と、からなる。
【００２２】
基枠２は、座板部６ａと基板部６ｂとによりＬ型に屈曲する一対の支持板６，６を座板部６ａ，６ａが同じ側で互いに反対方向を向くと共に基板部６ｂ，６ｂの側面が平行に並ぶようにして配置され、両基板部６ｂ，６ｂの一側縁間を連結板７により連結して形成されている。そして、両座板部６ａ，６ａが遊技盤取付面１０５ａに当接し、両基板部６ｂ，６ｂが前方へ突出している。また、この場合、両基板部６ｂ，６ｂは水平に配置され、連結板７は下側に位置している。一方（正面視にて左側）の基板部６ｂの先端部に円形状の固定用孔８ａが開設され、他方（正面視にて右側）の基板部６ｂの先端部には同軸上にＤカットされた固定用孔８ｂが開設されている。前記各座板部６ａにはビス９を挿通するための取付孔１０が設けられている。前記固定用孔８ａ，８ｂには固定軸３が挿通される。ただし、該固定軸３はその中心軸に対して直交する面に沿って回転することはない。なぜならば、固定軸３の先端部がＤカットされ、その先端部が前記Ｄカットされた固定用孔８ｂに嵌入するからである。また、固定軸３の外周面にはその中心軸線に対して直交する面内で該中心軸線から下した線が直交するように切り欠かれる凹溝１１，１１が設けられている。これら凹溝１１，１１には、後記するように操作部材５におけるスライド軸孔２３，２３の長溝部２３ｂ，２３ｂが嵌合できるようになっている。
【００２３】
前記受枠部材４は、一対の平行な枠板部１２，１２と両枠板部１２，１２の長手方向に沿った一端を接続する前受板部１３とからなる。この場合、両枠板部１２，１２は遊技盤取付面１０５ａの前側へ突出しており、前受板部１３は前端に位置している。両枠板部１２，１２には、後端上縁に上方へ突出する受板部１４，１４が設けられ、前端上縁に上方へ突出する押え枠部１５，１５が突設されている。そして、これら受板部１４，１４と押え枠部１５，１５との間で遊技盤１０４の周縁部を挟むことになる。両押え枠部１５，１５は押え部１５ａ，１５ａが受枠部１４，１４と対向するようにしてＬ字状に屈曲され、また、前記両受板部１４，１４の押え枠部１５ａ，１５ａ側は円弧状に形成されている。これは、遊技盤１０４の周縁部が両受板部１４，１４と両押え枠部１５，１５との間に形成される凹部に嵌り易くするためである。また、遊技盤１０４を遊技盤収納凹部１０５に収納するとき、まず、遊技盤１０４の裏面１０４ｂで両受板部１４，１４を押して受枠部材４を回動させつつ遊技盤１０４が遊技盤収納凹部１０５に収納される。
【００２４】
前記受枠部材４における両枠板部１２，１２の略中間位置に固定軸３を挿通する軸孔１６，１６が同一軸線上に開設され、また、両枠板部１２，１２の前端部に該枠板部１２，１２の長手方向に沿って長孔１７，１７が対向して設けられている。これら長孔１７，１７には後記する軸ピン２５が挿通される。また、両枠板部１２，１２の前端下縁に両枠板部１２，１２間を塞ぐようにそれぞれ折曲板１８，１８が設けられている。前受板部１３の外側面には中央部に略円錐台形状の突部１９ａが設けられている。これは操作部材５との間に介在される第二弾発手段としての圧縮コイルバネ２０の一端を嵌めて該圧縮コイルバネ２０を支持するためのものである。
【００２５】
操作部材５は帯板を平面コ字型に屈曲させて形成され、平行な一対の側板部２１，２１と両側板部２１，２１の一端縁、この場合は前端縁、を連結する前板部２２とからなる。両側板部２１，２１の間隔は前記受枠部材４の両枠板部１２，１２の間隔よりも広く設定されている。両側板部２１，２１における前板部２２とは反対側に対向するようにしてスライド軸孔２３，２３が開設されている。各スライド軸孔２３は、前板部２２側の円孔部２３ａと、該円孔部２３ａに連通すると共に該円孔部の内径よりも狭い溝幅の長溝部２３ｂとから形成されている。また、両側板部２１，２１の中央よりも少し前板部２２側寄りに同一軸線上に位置してピン孔２４，２４が開設され、これらピン孔２４，２４に軸ピン２５が挿通されることになる。前板部２２の内面には、前記受枠部材４の前受板部１３に設けられた突部１９ａと対向位置して同じく円錐台形状の突部１９ｂが設けられている。前記固定軸３には受枠部材４を回動付勢するための第一弾発手段としてのネジリバネ２６が巻装される。
【００２６】
次に、遊技盤固定装置１の組立手順を説明する。まず、受枠部材４の外側に両枠板部１２，１２と両側板部２１，２１とが重なるようにして操作部材５を配置する。そして、前受板部１３と前板部２２との間に、両端部を両突部１９ａ，１９ｂに固定させた圧縮コイルバネ２０を介在させた状態で、両長孔１７，１７と両ピン孔２４，２４を連通させ、これらピン孔２４，２４及び長孔１７，１７に軸ピン２５を挿通して固定する。この場合、軸ピン２５と固定軸３とは平行をなす。このようにピン孔２４，２４及び長孔１７，１７に軸ピン２５を挿通することにより、受枠部材４と操作部材５が一体に回動し、かつ、該軸ピン２５が長孔１７内を移動する範囲で受枠部材４に対し操作部材５が移動することになる。
【００２７】
また、スライド軸孔２３，２３と軸孔１６，１６を合致させた状態で、操作部材５と一体になった受枠部材４を基枠２の両支持板６，６間に介在させる。そして、両支持板６，６の固定用孔８ａ，８ｂとスライド軸孔２３、正確には円孔部２３ａ及び軸孔１６を互いに連通させた状態で、一方の円形状の固定用孔８ａ側から両円孔部２３ａ，２３ａ及び両軸孔１６、最後にＤカットされた固定用孔８ｂに固定軸３を挿通し固定する。この際、固定軸３にはネジリバネ２６が巻装される。これにより、ネジリバネ２６の一端２６ａ側が基枠２の連結板７面に当接すると共に他端２６ｂが受枠部材４の折曲板１８，１８に当接し、常に受枠部材４を基枠２における連結板７の外側面側へ回動付勢している。換言すると、遊技盤固定装置１を遊技盤取付面１０５ａに固着したとき、受枠部材４が遊技盤取付面１０５ａから離れるように回動付勢されている。
【００２８】
遊技盤取付面１０５ａには、遊技盤固定装置１と重ねるようにして弾発部材２７が固着される。該弾発部材２７は、遊技盤収納凹部１０５に収納された遊技盤１０４のがたつきをなくすための手段であって、図３に示すように遊技盤取付面１０５ａに当接する長方形状の底板２８と該底板２８の長手方向における中央部から底板２８に対し斜めに延設されるバネ板２９とからなっている。バネ板２９の頂部２９ａは弧状に湾曲しており、当接する遊技盤１０４の裏面１０４ａに傷が付かないようにしている。底板２８には、両端部にビス９を挿通する取付孔３０，３０が開設されている。そして、弾発部材２７の底板２８を基枠２の座板部６ａ，６ａの下側に重ねるようにして配置し、連通する両取付孔１０，３０にビス９を挿通して、弾発部材２７と共に基枠２を遊技盤取付面１０５ａに固着する。このとき、バネ板２９が基枠２における両支持板６，６間であって押え部１５ａ，１５ａのほぼ下方に位置する。そして、バネ板２９の湾曲した頂部２９ａが、収納される遊技盤１０４の裏面１０４ａに当接し、該遊技盤１０４を前側へ押して受枠部材４との間で遊技盤１０４を強く挟み固定させる。
【００２９】
本発明に係る遊技盤固定装置は上記構成からなり、次に本発明が適用されるパチンコ遊技機Ｐに遊技盤１０４をその前側から取着する方法を説明する。図９（イ）（ロ）は遊技盤の一側縁を押込むときの遊技盤収納凹部の平面図である。まず、パチンコ遊技機Ｐの透明板保持枠１０１を開け、各遊技盤固定装置１，１の受枠部材４を遊技盤取付面１０５ａから離れるように前側へ回動させ、遊技盤１０４が遊技盤収納凹部１０５に収納できるようにしておく。また、このとき、固定軸３にスライド軸孔２３の円孔部２３ａが嵌り、受枠部材４の前受板部１３にこれと対向する操作部材５の受枠部材４が接近しており圧縮コイルバネ２０が収縮されている。
【００３０】
そこで、裏面１０４ｂが遊技盤取付面１０５ａに対向するようにして遊技盤１０４を遊技盤収納凹部１０５の下縁段部１０５ｂの上面に載せる。そして、図９（イ）に示すように遊技盤収納凹部１０５の正面視にて左縁部の上下位置にそれぞれ取着される挟着部材１２１，１２１内に遊技盤１０４の一側縁を押し込む。更に、その一側縁側を中心として遊技盤１０４の他側縁を遊技盤収納凹部１０５の遊技盤取付面１０５ａに近づけ、図１０（イ）に示すようにその他側縁を各遊技盤固定装置１における受枠部材４の受板部１４に軽く当接させる。
【００３１】
次に、前記状態で遊技盤１０４の他側縁を後方すなわち遊技盤取付面１０５ａ側へ押し込む。これにより、図１０（ロ）に示すように遊技盤１０４の他側縁が各遊技盤固定装置１における受枠部材４の押え枠部１５，１５と受板部１４，１４との間に介在すると共に、受枠部材４がネジリバネ２６の付勢に抗して遊技盤取付面１０５ａ側へ回動する。受枠部材４が所定の位置まで回動すると、スライド軸孔２３の各長溝部２３ｂが固定軸３の外周面に設けられた各凹溝１１と合致して各操作部材５の拘束が解かれ、圧縮コイルバネ２０の付勢により両長孔１７，１７内を軸ピン２５が摺動すると共に各凹溝１１に各長溝部２３ｂが嵌り、前受板部１３から前板部２２が遠ざかるようにして操作部材５が移動する。
【００３２】
このように、固定軸３の両凹溝１１，１１にスライド軸孔２３，２３の長溝２３ｂ，２３ｂが嵌まることにより操作部材５が固定され、かつ、操作部材５の軸ピン２５が受枠部材４の両長孔１７，１７に挿通されていることから、受枠部材４の不必要な回動動作が規制される。同時に、遊技盤固定装置１側では、弾発部材２７のバネ板２９が遊技盤１０４の裏面１０４ｂに当接して該遊技盤１０４を前側へ付勢するので、遊技盤１０４の前面が当接する押え部１５ａ，１５ａにより挟まれ、遊技盤１０４ががたつくことなくしっかりと固定される。また、遊技盤１０４の一側縁は図９（ロ）に示すように挟着部材１２１における前支持板部１２１ｂと後支持板部１２１ｃの先端側１２３ａとの間で挟まれ、しかも、後支持板部１２１ｃの先端側１２３ａがその弾性により遊技盤１０４を前方へ押すことになる。よって、前支持板部１２１ｂと後支持板部１２１ｃとの間で遊技盤１０４がしっかりと固定される。このようにして、図１１に示すように遊技機本体Ｐ１の前面に遊技盤１０４がスムーズに装着される。
【００３３】
次に、パチンコ遊技機Ｐの前側から遊技盤１０４を取り外す場合について説明する。図９（ロ）、図１０（ロ）に示すように遊技盤１０４が遊技盤収納凹部１０５に収納され、各遊技盤固定装置１における操作部材５が圧縮コイルバネ２０の付勢により突出している。この場合、操作部材５はパチンコ遊技機Ｐの前方へ突出している。この状態で、図１０（ロ）矢印に示すように操作部材５の前板部２２を後方、すなわち遊技盤取付面１０５ａ側へ押す。これにより、操作部材５が圧縮コイルバネ２０の付勢に抗して移動すると共に各凹溝１１がスライド軸孔２３の各長溝部２３ｂから抜け出て円孔部２３ａに入り、操作部材５と一緒に受枠部材４が固定軸３を中心として回動できるようになる。そして、ネジリバネ２６の付勢により該受枠部材４が遊技盤取付枠１０５ａから離れるように回動する。
【００３４】
これに伴い、図１０（イ）に示すように遊技盤１０４の他側縁が前側へ押し出される。そして、このようにして他側縁が前側へ押し出された遊技盤１０４をそのまま他側縁側へ引き、同時に一側縁を挟着部材１２１から引き出す。これにより、収納されていた遊技盤１０４を遊技盤収納凹部１０５から取り外すことができる。なお、遊技盤収納凹部１０５に遊技盤１０４を再度収納するには、前記と同じ方法を採れば良い。
【００３５】
このように、本発明の遊技盤固定装置１にあっては、遊技盤収納凹部１０５における遊技盤取付面１０５ａに遊技盤１０４を押し込んで嵌めることにより、遊技盤１０４の周縁部が受枠部材４に嵌まり込んで該受枠部材４が回動し、操作部材５が受枠部材４から離れるように可動すると共に固定軸３が円孔部２３ａから長溝部２３ｂへ移動し、受枠部材４の不必要な回動動作を規制して遊技盤１０４が固定され、操作部材５を受枠部材４側へ押すことにより、固定軸３が長溝部２３ｂから円孔部２３ａへ移動して受枠部材４が回動可能になり、遊技盤収納凹部１０５から遊技盤１０４を取り外すことができる。これにより、遊技盤収納凹部１０５への遊技盤１０４の収納がその側縁部を受枠部材４に受け止めさせるようにして押し込むのみで済み、余分な注意を払わずに遊技盤１０４の収納がスムーズに行なえる。また、操作部材５を指先で押すのみで受枠部材４がその付勢により回動し遊技盤１０４を外側へ押し出す。よって、遊技盤１０４の固定の解除及び取り外しが極めて簡単に行なえる。
【００３６】
また、操作部材５を指先で遊技盤取付面１０５ａ側へ押すのみで固定軸３に対する操作部材５の係合が外れると共に遊技盤１０４がその側縁部を前側に押出されるので、該遊技盤１０４の固定の解除及び取り外しが極めて簡単に行なえるばかりか、他の個所を余り手で触れる必要もないことから、怪我をするといった心配も少なくなる。
【００３７】
更に、遊技盤収納凹部１０５に収納された遊技盤１０４の周縁部を受枠部材４内に介在させた状態で、遊技盤１０４の周縁部を受枠部材４の一方へ付勢して該受枠部材４との間で該周縁部を挟着固定する弾発部材２７を備えてなるので、受枠部材４が遊技盤収納凹部１０５に収納された遊技盤１０４の側縁部を受け入れたとき、弾発部材２７のバネ板２９が遊技盤１０４の裏面１０４ｂに当接してその裏面１０４ｂを押す。よって、遊技盤１０４の側縁部がバネ板２９と受枠部材４の押え部１５ａとで挟まれ、遊技盤１０４ががたつくことなくしっかりと固定される。
【符号の説明】
【００３８】
１              遊技盤固定装置
２              基枠
３              固定軸
４              受枠部材
５              操作部材
１１            凹溝
１７            長孔
２０            第二弾発手段（圧縮コイルバネ）
２３            スライド軸孔
２３ａ          円孔部
２３ｂ          長溝部
２５            軸ピン
２６            第一弾発手段（ネジリバネ）
２７            弾発部材
１０４          遊技盤
１０５          遊技盤収納凹部
１０５ａ        遊技盤取付面
Ｐ              パチンコ遊技機
【図１】
2013013507.tif 000003
【図２】
2013013507.tif 000004
【図３】
2013013507.tif 000005
【図４】
2013013507.tif 000006
【図５】
2013013507.tif 000007
【図６】
2013013507.tif 000008
【図７】
2013013507.tif 000009
【図８】
2013013507.tif 000010
【図９】
2013013507.tif 000011
【図１０】
2013013507.tif 000012
【図１１】
2013013507.tif 000013